(57)【要約】【課題】外気導入弁からの液の浸入或いは空気吐出弁からの液の浸入があった場合でも、実質的に空気シリンダ内へのそれらの液の浸入を防止でき、しかも構造が簡単であり、従来品に一部の構造変化を加えることで形成できる泡吐出器を提案する。【解決手段】作動部材Ｃの上下動により、液用シリンダ２１内からの液と空気用シリンダ２０内からの空気を合流させて起泡部材Ｃ７を介して起泡させ吐出口６５より吐出する如く構成し、空気用ピストンＣ３を、ステムＣ２外周に所定幅の上下動が可能に嵌合させた筒状部４５と、空気用シリンダ２０内周に摺動可能に嵌合させた摺動部４７とを、空気用シリンダ２０内上下を区画する隔壁４６で連結して構成し、隔壁４６に設けた吸気口４８を開閉可能に閉塞する外気導入弁Ｖ３を備えた泡吐出器であって、筒状部４５の嵌合位置下方のステムＣ２より、外気導入弁Ｖ３の下方外方位置に至る受皿４０を突設した。【選択図】図１
2014125276.tif 000002
【特許請求の範囲】
【請求項１】
容器体（１００）の口頸部（１０１）外周に嵌合させる装着キャップ（Ａ）に上端部を固定して容器体（１００）内に垂下するとともに、大径の空気用シリンダ（２０）及び小径の液用シリンダ（２１）を上下に同心円状に連設してなるシリンダ部材（Ｂ）と、液用シリンダ（２１）内を摺動する液用ピストン（Ｃ１）をステム（Ｃ２）外周下部より突設するとともに、空気用シリンダ（２０）内を摺動する空気用ピストン（Ｃ３）をステム（Ｃ２）外周上部に連携させ、ステム（Ｃ２）の上端に吐出ヘッド（Ｃ５）を嵌着して上方付勢状態で上下動可能に装着した作動部材（Ｃ）とを備え、作動部材（Ｃ）の上下動により、液用シリンダ（２１）内からの液と空気用シリンダ（２０）内からの空気を合流させて起泡部材（Ｃ７）を介して起泡させ、吐出ヘッド（Ｃ５）の吐出口（６５）より吐出する如く構成し、空気用ピストン（Ｃ３）を、ステム（Ｃ２）外周に所定幅の上下動が可能に嵌合させた筒状部（４５）と、空気用シリンダ（２０）内周に摺動可能に嵌合させた摺動部（４７）とを、空気用シリンダ（２０）内上下を区画する隔壁（４６）で連結して構成し、隔壁（４６）に設けた吸気口（４８）を開閉可能に閉塞する外気導入弁（Ｖ３）を備えた泡吐出器であって、筒状部（４５）の嵌合位置下方のステム（Ｃ２）より、外気導入弁（Ｖ３）の下方外方位置に至る受皿（４０）を突設したことを特徴とする泡吐出器。
【請求項２】
ステム（Ｃ２）外周に突設し、且つ、筒状部（４５）の下端とで空気吐出弁（Ｖ２）を構成する空気吐出弁用の弁座（３８）を介して受皿（４０）を延設した請求項１に記載の泡吐出器。
【請求項３】
受皿（４０）の底面（ｆ）を中心側へ漸次下降する形態とした請求項１又は請求項２に記載の泡吐出器。
【請求項４】
受皿（４０）は、底壁部（４０ａ）の周縁部より起立壁（４０ｂ）を立設した形態をなす請求項１乃至請求項３のいずれか１項に記載の泡吐出器。
【請求項５】
隔壁（４６）の外周縁部を下方へ下る外周縁垂壁部（４６ｃ）に形成し、起立壁（４０ｂ）外周を空気の通過が可能な状態で外周縁垂壁部（４６ｃ）に沿って隣接起立させた請求項４に記載の泡吐出器。
【請求項６】
受皿（４０）の内面を複数に区画分離した液溜め凹部（４２）を設けた請求項１乃至請求項５のいずれか１項に記載の泡吐出器。
【請求項７】
隔壁（４６）の内周部に垂壁部（４６ａ）を形成し、垂壁部（４６ａ）内方の隔壁（４６）に通気口（４８）を開口し、垂壁部（４６ａ）によりレベルダウンした隔壁（４６）下面を外気導入弁用の弁座（４９）に構成し、垂壁部（４６ａ）の対向位置に嵌着した装着筒（５５）より突設した環状の外気導入弁体（５６）外周縁部を外気導入弁用の弁座（４９）に圧接して外気導入弁（Ｖ３）を構成した請求項１乃至請求項６のいずれか１項に記載の泡吐出器。
【発明の詳細な説明】
【技術分野】
【０００１】
本発明は泡吐出器に関する。
【背景技術】
【０００２】
泡吐出器として、大径の空気用シリンダと小径の液用シリンダを上下に同心円状に連設したシリンダ部材と、液用シリンダ内を摺動する液用ピストンをステム外周下部より突設するとともに、空気用シリンダ内を摺動する空気用ピストンをステム外周上部に連携させ、ステム上端に吐出ヘッドを嵌着して上方付勢状態で上下動可能に装着した作動部材とを備え、作動部材の上下動により液用シリンダ内の液と空気用シリンダ内の空気を合流させて起泡部材を介して起泡させ、吐出ヘッドの吐出口より吐出する如く構成したものが知られている。（例えば、特許文献１参照）
【０００３】
特許文献１に記載されている泡吐出器では、ステム外周に所定幅の上下動が可能に嵌合させた筒状部と、空気用シリンダ内周に摺動可能に嵌合させた摺動部とを、空気用シリンダ内上下を区画する隔壁で連結して空気用ピストンを構成しており、また、ステム外周に突設した弁座と空気用ピストンの筒状部の下端とで空気吐出弁を構成し、空気用シリンダ内から空気吐出弁を介してステム外周部を通りステム内と連通する空気通路を設けている。
【０００４】
また、泡の吐出に伴って減少する空気用シリンダ内に外気を導入するための外気導入弁を備えているが、この外気導入弁は、空気用ピストンを構成する隔壁部分に吸気口を開口し、この吸気口を閉塞する外気導入弁を、別部材で構成した弁部材を組み付けることで形成している。
【先行技術文献】
【特許文献】
【０００５】
【特許文献１】特開２００９−２０２１２２号公報
【発明の概要】
【発明が解決しようとする課題】
【０００６】
従来のこの種の泡吐出器では、外気導入弁部材が空気用シリンダを横断する隔壁部分に設けられているため、水場での使用の際には作動部材を伝って吸気口から外気導入弁を介して空気用シリンダ内に液が浸入する虞や、ステム内の収容液が空気用シリンダとステム内を結ぶ空気通路、空気吐出弁を介して空気用シリンダ内に浸入する虞が稀にあった。
【０００７】
本発明は上記した点に鑑みてなされたもので、上記した外気導入弁からの液の浸入或いは空気吐出弁からの液の浸入があった場合でも、実質的に空気シリンダ内へのそれらの液の浸入を防止でき、しかも構造が簡単であり、従来品に一部の構造変化を加えることで形成できる泡吐出器を提案する。
【課題を解決するための手段】
【０００８】
第１の手段として、以下の通り構成した。即ち、容器体１００の口頸部１０１外周に嵌合させる装着キャップＡに上端部を固定して容器体１００内に垂下するとともに、大径の空気用シリンダ２０及び小径の液用シリンダ２１を上下に同心円状に連設してなるシリンダ部材Ｂと、液用シリンダ２１内を摺動する液用ピストンＣ１をステムＣ２外周下部より突設するとともに、空気用シリンダ２０内を摺動する空気用ピストンＣ３をステムＣ２外周上部に連携させ、ステムＣ２の上端に吐出ヘッドＣ５を嵌着して上方付勢状態で上下動可能に装着した作動部材Ｃとを備え、作動部材Ｃの上下動により、液用シリンダ２１内からの液と空気用シリンダ２０内からの空気を合流させて起泡部材Ｃ７を介して起泡させ、吐出ヘッドＣ５の吐出口６５より吐出する如く構成し、空気用ピストンＣ３を、ステムＣ２外周に所定幅の上下動が可能に嵌合させた筒状部４５と、空気用シリンダ２０内周に摺動可能に嵌合させた摺動部４７とを、空気用シリンダ２０内上下を区画する隔壁４６で連結して構成し、隔壁４６に設けた吸気口４８を開閉可能に閉塞する外気導入弁Ｖ３を備えた泡吐出器であって、筒状部４５の嵌合位置下方のステムＣ２より、外気導入弁Ｖ３の下方外方位置に至る受皿４０を突設した。
【０００９】
第２の手段として、以下の通り構成した。即ち、前記第１の手段に於いて、ステムＣ２外周に突設し、且つ、筒状部４５の下端とで空気吐出弁Ｖ２を構成する空気吐出弁用の弁座３８を介して受皿４０を延設した。
【００１０】
第３の手段として、以下の通り構成した。即ち、前記第１の手段又は第２の手段に於いて、受皿４０の底面ｆを中心側へ漸次下降する形態とした。
【００１１】
第４の手段として、以下の通り構成した。即ち、前記第１の手段乃至第３の手段のいずれかの手段に於いて、受皿４０は、底壁部４０ａの周縁部より起立壁４０ｂを立設した形態をなす。
【００１２】
第５の手段として、以下の通り構成した。即ち、前記第４の手段に於いて、隔壁４６の外周縁部を下方へ下る外周縁垂壁部４６ｃに形成し、起立壁４０ｂ外周を空気の通過が可能な状態で外周縁垂壁部４６ｃに沿って隣接起立させた。
【００１３】
第６の手段として、以下の通り構成した。即ち、前記第１の手段乃至第５の手段のいずれかの手段に於いて、受皿４０の内面を複数に区画分離した液溜め凹部４２を設けた。
【００１４】
第７の手段として、以下の通り構成した。即ち、前記第１の手段乃至第６の手段のいずれかの手段に於いて、隔壁４６の内周部に垂壁部４６ａを形成し、垂壁部４６ａ内方の隔壁４６に通気口４８を開口し、垂壁部４６ａによりレベルダウンした隔壁４６下面を外気導入弁用の弁座４９に構成し、垂壁部４６ａの対向位置に嵌着した装着筒５５より突設した環状の外気導入弁体５６外周縁部を外気導入弁用の弁座４９に圧接して外気導入弁Ｖ３を構成した。
【発明の効果】
【００１５】
本発明によれば、筒状部４５嵌合位置下方のステムＣ２より、外気導入弁Ｖ３の下方外方位置に至る受皿４０を突設しているので、外気導入弁からの液の浸入或いは空気吐出弁部分からの液の浸入があった場合でも、実質的に空気用シリンダ２０内へのそれらの液の浸入を防止でき、しかも構造が簡単であり、従来品に一部の構造変化を加えることで形成できるという利点がある。
【００１６】
ステムＣ２外周に突設し、且つ、筒状部４５の下端とで空気吐出弁Ｖ２を構成する空気吐出弁用の弁座３８を介して受皿４０を延設した場合には、受皿４０を空気用シリンダ２０内の可能な最上部位置に設けることができ、空気用シリンダ２０の容量を効率良く使用できる利点がある。また、受皿４０に溜まった液を空気用ピストンＣ３の操作時に空気通路ｐを介してステムＣ２内へ還流させることができる。
【００１７】
受皿４０の底面ｆを中心側へ漸次下降する形態とした場合には、受皿４０上に溜まった液を中心側に集中して、受皿４０の外縁部よりの漏出の防止を図れ、また、空気吐出弁用の弁座３８を介して延設した場合には、空気通路ｐを介してのステムＣ２内への還流をより効率良く行なえる。
【００１８】
受皿４０は、底壁部４０ａの周縁部より起立壁４０ｂを立設した形態をなす場合には、受皿４０に溜まった液が空気用シリンダ２０内へ溢れ出るという不都合をより確実に防止できる。
【００１９】
隔壁４６の外周縁部を下方へ下る外周縁垂壁部４６ｃに形成し、起立壁４０ｂ外周を空気の通過が可能な状態で外周縁垂壁部４６ｃに沿って隣接起立させた場合には、空気用シリンダ２０内での起立壁４０ｂを備えた受皿４０のより効率の良い配置を可能とし、空気用シリンダ２０の容量を効率良く使用できる利点がある。
【００２０】
受皿４０の内面を複数に区画分離した液溜め凹部４２を設けた場合には、受皿４０上に浸入した液を留めておき易く、空気用シリンダ２０内への浸入をより確実に防止できる利点がある。
【００２１】
隔壁４６の内周部に垂壁部４６ａを形成し、垂壁部４６ａ内方の隔壁４６に通気口４８を開口し、垂壁部４６ａによりレベルダウンした隔壁４６下面を外気導入弁用の弁座４９に構成し、垂壁部４６ａの対向位置に嵌着した装着筒５５より突設した環状の外気導入弁体５６外周縁部を外気導入弁用の弁座４９に圧接して外気導入弁Ｖ３を構成した場合には、外気導入弁Ｖ３を極力中心側に設けることができ、浸入液を受皿４０の中心に集め易く、また、構造的にも無駄のない効率の良い配置が可能となる。
【図面の簡単な説明】
【００２２】
【図１】泡吐出器の縦断面図である。（第１実施例）
【図２】泡吐出器の平面図である。（第１実施例）
【図３】図１の二点鎖線ｘで囲まれた部分の要部縦断面図である。（実施例１）
【図４】液体吐出器の要部拡大断面図である。（実施例２）
【図５】受皿を示す概略平面図である。（実施例２）
【発明を実施するための形態】
【００２３】
以下、本発明の形態を図面を参照して説明する。
【００２４】
図１及び図２は本発明の泡吐出器の第１実施例を示す。泡吐出器１は、装着キャップＡと、シリンダ部材Ｂと、作動部材Ｃと、ポペット弁体Ｄと、を備えている。
【００２５】
装着キャップＡは、泡吐出器１を容器体１００に固定するためのもので、容器体１００の口頸部１０１外周に嵌合させる周壁１０の上端縁よりフランジ状の頂壁１１を延設し、頂壁１１中央部に開口した窓孔縁部に、ガイド筒１２を起立している。ガイド筒１２の下端は頂壁１１より下方へ僅かに突出している。
【００２６】
シリンダ部材Ｂは、上端部を装着キャップＡ裏面外周部に装着固定させた大径の空気用シリンダ２０の下部に、小径の液用シリンダ２１を同心円状に延設している。液用シリンダ２１は、空気用シリンダ２０の底壁部内周縁に周壁部の上端縁を連結して下方へ垂設し、周壁部の下端縁より中央を開口したテーパ状の底壁部を延設し、底壁部の上面を吸込み弁用の弁座２２として構成している。また、底壁部の中央開口縁よりパイプ嵌合筒２３を一体に垂設し、パイプ嵌合筒２３に吸上げ用のパイプ２４の上端を嵌着し、その下端を容器体１００内下端部に垂下させている。更に、液用シリンダ２１内面の底壁部外縁部から周壁部下端部に至る部分に、周方向複数の係止リブ２５を突設している。各係止リブ２５の上下中間部には上向き段部を設けている。
【００２７】
作動部材Ｃは、シリンダ部材Ｂに対して上方付勢状態で上下動可能に組み付けしたもので、液用ピストンＣ１と、ステムＣ２と、空気用ピストンＣ３と、外気導入弁部材Ｃ４と、吐出ヘッドＣ５と、装着筒部材Ｃ６と、起泡部材Ｃ７とを備えている。
【００２８】
液用ピストンＣ１は、ステムＣ２内下部に嵌着した嵌合筒部３０の下端外周より外方へ上下スカート状の摺動部３１を突設し、摺動部３１を液用シリンダ２１内周に液密摺動可能に嵌合させている。また、嵌合筒部３０の上端部はステムＣ２内の上下方向中間部に於いて突条形態の逆止弁用の弁座３２を形成している。そして、液用ピストンＣ１の嵌合筒部３０下面と各係止リブ２５の上向き段部との間にコイルスプリングｓを介在させて作動部材Ｃを常時上方へ付勢させている。
【００２９】
ステムＣ２は、上下端を開口した筒状をなし、液用シリンダ２１に摺動する液用ピストンＣ１を下部外周に突設するとともに、空気用シリンダ２０内を摺動する空気用ピストンＣ３を外周上部に連携させて、液用シリンダ２１内及び空気用シリンダ２０内を上下動可能に装着されている。ステムＣ２内上部には吐出弁用の弁座３５を形成し、該弁座上に載置された玉状の吐出弁体３６とで吐出弁Ｖ１を形成している。また、吐出弁用の弁座３５の下面から逆止弁用の弁座３２の直上までの間に周方向複数の縦突条３７を突設している。更に、外面上下方向中間部には、空気用ピストンＣ３の下降を制限係止する空気吐出弁用の弁座３８を突設している。また、空気吐出弁用の弁座３８の上方の筒壁外周には周方向複数の縦突条３９を突設している。
【００３０】
本発明では受皿４０を設けている。受皿４０は、空気用ピストンＣ３の後述する筒状部４５の嵌合位置下方のステムＣ２より突設し、後述する外気導入弁Ｖ３の下方外方に至るもので、後述する空気吐出弁Ｖ２或いは外気導入弁Ｖ３より浸入する液を蓄えて空気用シリンダ２０内へ実質的に浸入を防止するものである。第１実施例では、空気吐出弁用の弁座３８を介してステムＣ２より延設しており、中心側へ漸次下降する底面ｆを備えた底壁部４０ａと、底壁部４０ａ周縁部より立設した起立壁４０ｂとで構成している。尚、受皿４０に関しては後に詳述する。
【００３１】
空気用ピストンＣ３は、内周縁の筒状部４５をステムＣ２外周に小幅の上下動が可能に嵌合させ、筒状部４５外周より延設した隔壁４６を介して、空気用シリンダ２０内周に液密摺動可能に嵌合した上下スカート状の摺動部４７延設している。筒状部４５は、ステムＣ２外周の縦突条３９外面に上下動可能に嵌合させ、また、その上端を後述する吐出ヘッドＣ５のシール筒部６６内周に摺動可能に嵌合させ、更に、その下端部と空気吐出弁用の弁座３８とで空気吐出弁Ｖ２を構成している。
【００３２】
また、隔壁４６は内周部に垂壁部４６ａを形成し、垂壁部４６ａ内方の隔壁４６に通気口４８を開口し、垂壁部４６ａによりレベルダウンした隔壁４６下面を外気導入弁用の弁座４９に構成している。また、垂壁部４６ａ外方の隔壁４６外周縁部は上方に環状に膨出させた膨出部４６ｂを備え、膨出部４６ｂの外周部分を共有する外周縁垂壁部４６ｃを備えており、外周縁垂壁部４６ｃの下端部より摺動部４７を突設している。また、外周縁垂壁部４６ｃの内面には、受皿４０の起立壁４０ｂとの間に空気の流通が可能な間隔を保つ上で、スペースリブ５０を、周方向複数縦設している。
【００３３】
そして、空気用ピストンＣ３は、筒状部４５の上端が後述する環状凹部６７の頂面に当接する状態から、筒状部４５の下端が空気吐出弁用の弁座３８に当接する状態まで、ステムＣ２に対する筒状部４５の相対的上下動が可能に構成している。
【００３４】
外気導入弁部材Ｃ４は、隔壁４６に設けた吸気口４８を開閉可能に閉塞する外気導入弁Ｖ３を構成するもので、筒状部４５外周に嵌着した装着筒５５と、装着筒５５より突設した環状の外気導入弁体５６とを備えている。具体的には、隔壁４６の垂壁部４６ａの対向位置に嵌着した装着筒５５の外周下部より突設した環状で、板状の外気導入弁体５６外周縁部を外気導入弁用の弁座４９に圧接して外気導入弁Ｖ３を構成している。
【００３５】
吐出ヘッドＣ５はステムＣ２の外周上端部に内周下端部を嵌合させた縦筒６０を頂板６１裏面より垂設し、頂板６１の周縁部から外周壁６２を垂設し、外周壁６２内方の頂板６１裏面より垂設した内周壁６３の下端部をガイド筒１２の外周上端部位置に垂下している。また、縦筒６０の上端に基端を開口したノズル６４を前方へ突設し、その先端に吐出口６５を開口している。更に、吐出ヘッドＣ５の下面としての縦筒６０の下面の外周縁よりシール筒部６６を垂設し、シール筒部６６とステムＣ２外周との間に環状凹部６７を画成している。また、環状凹部６７直上の縦筒６０内面には、下端を環状凹部６７の上端に開口し、上端をステムＣ２直上に開口した縦凹溝６８を縦設している。そして、この縦凹溝６８内、環状凹部６７内、ステムＣ２と筒状部４５との間とで、空気用シリンダ２０内からステムＣ２内に連通する空気通路ｐを構成している。また、縦筒６０内の上部にはリブ６９を突設している。
【００３６】
装着筒部材Ｃ６は、内部に起泡部材Ｃ７を嵌合して、上部を吐出ヘッドＣ５の縦筒６０内に、下部をステムＣ２内上端部に嵌着している。第１実施例では、縦筒６０内周に嵌着した上部装着筒部７５の下端より、フランジ７６を介してステムＣ２内上端部に嵌着した下部装着筒部７７を垂設し、下部装着筒部７７の下端部には、中央に連通窓を開口して延設したフランジ状の底板を備え、また、フランジ状の底板下面よりステムＣ２内周に垂下筒を垂設している。また、フランジ７６の下面から下部装着筒部７７の外面を縦断する隙間用リブ７８を周方向複数突設しており、隙間用リブ７８を対応するステムＣ２の上面及び内面に当接して、フランジ７６及び下部装着筒部７７とステムＣ２との間に、ステムＣ２上方の縦筒６０内面に開口した空気通路ｐからステムＣ２内に連通する通気路を設けて装着している。
【００３７】
そして、空気通路ｐと、液流路が合流する気液混合室ＲをステムＣ２内に画成している。
【００３８】
起泡部材Ｃ７は、メッシュを張設した筒体８１を一対用意して、メッシュ８０が上端及び下端になる如く装着筒部材Ｃ６の上部装着筒部７５内に嵌着している。尚、第１実施例では筒体を一対設けているが、メッシュを張設した筒体を一つ嵌着することも、三個以上嵌着することも可能であり、適宜選択することが可能である。
【００３９】
ポペット弁体Ｄは、下端部外面に、それぞれ液用シリンダ２１の係止リブ２５間に位置させる、周方向複数の係止突部８５を突設しており、液用シリンダ２１内からステムＣ２内下部に至る長さを有しており、吸込み弁用の弁座２２と下面が当接する位置から、各係止突部８５がコイルスプリングｓ下面に当接する位置までの上下動が可能に装着している。各係止突部８５上方は、下部を大径部に上部を小径部に形成しており、小径部の上端にはテーパ筒状に拡開する逆止弁体８６を形成し、この逆止弁体８６と逆止弁用の弁座３２とで逆止弁Ｖ４を形成している。また、ポペット弁体Ｄの下端部と吸込み弁用の弁座２２とで吸込み弁Ｖ５を構成している。
【００４０】
本発明では上記した如く受皿４０を備えている。受皿４０の具体的形状は、空気用ピストンＣ３の筒状部４５の嵌合位置下方のステムＣ２より突設し、外気導入弁Ｖ３の下方外方に至る皿状形態であれば種々採用でき、受皿４０の存在で空気吐出弁Ｖ２或いは外気導入弁Ｖ３より浸入する液を蓄えて空気用シリンダ２０内へ実質的に浸入を防止するものであれば種々採用できる。また、ステムＣ２より突設するという形態は、ステムＣ２より直接一体に突設しても、或いは第１実施例の如く、空気吐出弁用の弁座３８を介してステムＣ２より突設するものであっても良く、また、ステムＣ２と一体に形成しても、別体の受皿４０をステムＣ２に嵌着固定しても良い。更に、第１実施例では、空気吐出弁用の弁座３８を介してステムＣ２より延設しているが、空気吐出弁用の弁座３８より下方位置のステムＣ２より突設することも可能である。
【００４１】
第１実施例では、中心側へ漸次下降する底面ｆを備えた底壁部４０ａと、底壁部４０ａ周縁部より立設した起立壁４０ｂとで受皿４０を構成している。また、受皿４０の底面ｆを中心側へ漸次下降する形態としている。更に、起立壁４０ｂ外周を空気の通過が可能な状態で隔壁４６の外周縁垂壁部４６ｃに沿って隣接起立させており、起立壁４０ｂの高さを許容する上で隔壁４６の膨出部４６ｂ内に起立壁４０ｂの上端部が突設する如く構成している。
【００４２】
尚、図１の２点鎖線で示す如き、装着キャップＡと吐出ヘッドＣ５下面との間に着脱可能に嵌合させたスペーサーＥを設けることも可能である。スペーサーＥの存在で不使用時に作動部材Ｃの不用意な押し下げを防止できる。
【００４３】
上記泡吐出器１は、図１の状態から、スペーサーＥが装着されていればスペーサーＥを取り外して吐出ヘッドＣ５を押し下げると、空気用ピストンＣ３がステムＣ２に対して相対的に上昇して空気吐出弁Ｖ２が開き、また、下降する空気用ピストンＣ３により空気用シリンダ２０内の空気が加圧され、起立壁４０ｂと外周縁垂壁部４６ｃとの間、隔壁４６と受皿４０との間を通り、空気吐出弁Ｖ２より空気通路ｐを介して気液混合室Ｒ内に導入される。一方、液用シリンダ２１が下降してポペット弁体Ｄを吸込み弁用の弁座２２に当接させるまで下降させるとともに、ポペット弁体ＤがステムＣ２に対して相対的に上昇して逆止弁Ｖ４が開き、液用シリンダ２１内の加圧液を吐出弁Ｖ１を介して気液混合室Ｒに導入させ、ここで気液を混合する。気液混合室Ｒで混合された気液は起泡部材Ｃ７を通過して発泡し、吐出ヘッドＣ５のノズル６４の吐出口６５から外部へ吐出される。
【００４４】
吐出ヘッドＣ５の押圧を解除すると、コイルスプリングｓの付勢力により作動部材Ｃが上昇し、その際空気用ピストンＣ３がステムＣ２に対して相対的に下降して空気吐出弁Ｖ２が閉じ、空気用シリンダ２０内の負圧化によって外気導入弁Ｖ３が開き、外気導入弁Ｖ３から隔壁４６と受皿４０との間、起立壁４０ｂと外周縁垂壁部４６ｃとの間を介して空気用シリンダ２０内に外気が導入される。
【００４５】
一方、ステムＣ２の上昇によりポペット弁体Ｄは、逆止弁Ｖ４と各縦突条３７との摩擦力で上昇し、吸込み弁Ｖ５が開いて負圧化した液用シリンダ２１内に容器体１００内の液が導入され、その際吐出弁Ｖ１は閉じる。ポペット弁体Ｄはその係止突部８５がコイルスプリングｓの下面に当接するまで上昇するが、その後はステムＣ２に対して、逆止弁体８６が逆止弁用の弁座３２に当接するまで、相対的に下降する。
【００４６】
本発明では、受皿４０の存在で空気吐出弁Ｖ２或いは外気導入弁Ｖ３より浸入する液を蓄えて、空気用シリンダ２０内への実質的な浸入を防止することができ、また、受皿４０に溜まった液は作動部材Ｃの操作により空気圧でステムＣ２内に還流させることができる。
【００４７】
図４及び図５は第２実施例を示し、受皿４０の内面を複数に区画分離した液溜め凹部４２を設けた例を示す。図４は第１実施例に於いて、受皿４０の底壁部４０ａ内面から起立壁４０ｂにわたる平面視放射状の液溜め用リブ４１を放射状に複数突設し、液溜め用リブ４１間に液溜め凹部４２を画成した例を示し、図５はその概略平面図を示す。尚、この液溜め用凹部４２は本実施例のものに限らず、例えば、受皿の底壁部４０ａ上面のみに設けることも可能であり、起立壁４０ｂ内面のみに突設することも可能である。また、液溜め用凹部４２の形状は、本実施例の如く放射状の液溜め用リブ４１により画成されたのものに限らず、例えば、格子状のリブにより画成されたものであっても、その他種々の形状を採用できる。基本的にはリブにより画成された凹部が好ましく採用できる。
【符号の説明】
【００４８】
１：泡吐出器
Ａ：装着キャップ
１０…周壁、１１…頂壁、１２…ガイド筒
Ｂ：シリンダ部材
２０…空気用シリンダ、２１…液用シリンダ、２２…吸込み弁用の弁座、
２３…パイプ嵌合筒、２４…吸上げ用のパイプ、２５…係止リブ
Ｃ：作動部材
Ｃ１：液用ピストン
３０…嵌合筒部、３１…摺動部、３２…逆止弁用の弁座
Ｃ２：ステム
３５…吐出弁用の弁座、３６…吐出弁体、３７…縦突条、３８…空気吐出弁用の弁座、
３９…縦突条、４０…受皿、４０ａ…底壁部、ｆ…底面、４０ｂ…起立壁、
４１…液溜め用リブ、４２…液溜め凹部
Ｃ３：空気用ピストン
４５…筒状部、４６…隔壁、４６ａ…垂壁部、４６ｂ…膨出部、
４６ｃ…外周縁垂壁部、４７…摺動部、４８…吸気口、４９…外気導入弁用の弁座、
５０…スペースリブ
Ｃ４…外気導入弁部材
５５…装着筒、５６…外気導入弁体
Ｃ５：吐出ヘッド
６０…縦筒、６１…頂板、６２…外周壁、６３…内周壁、６４…ノズル、
６５…吐出口、６６…シール筒部、６７…環状凹部、６８…縦凹溝、６９…リブ
Ｃ６：装着筒部材
７５…上部装着筒部、７６…フランジ、７７…下部装着筒部、７８…隙間用リブ
Ｃ７：起泡部材
８０…メッシュ、８１…筒体
Ｄ：ポペット弁体
８５…係止突部、８６…逆止弁体
Ｅ：スペーサー
Ｖ１：吐出弁
Ｖ２：空気吐出弁
Ｖ３：外気導入弁
Ｖ４：逆止弁
Ｖ５：吸込み弁
ｓ：コイルスプリング
ｐ：空気通路
Ｒ：気液混合室
１００：容器体
１０１…口頸部
【図１】
2014125276.tif 000003
【図２】
2014125276.tif 000004
【図３】
2014125276.tif 000005
【図４】
2014125276.tif 000006
【図５】
2014125276.tif 000007